(57)【要約】【課題】  ソーラセル付時計用文字板の時字の視認性を高める。【解決手段】  ソーラセルの上面側に配設される時計用文字板において、透過性を有する文字板基板３１の上面側の時字３４を配設する領域部分に非透過膜層３３を設け、この非透過膜層３３の上面の所定の位置に、非透過膜層３３の色と補色関係又は補色関係に近い色を持つ時字３４を設けて時計用文字板３０を形成する。また、時字３４と非透過膜層３３との間に無反射膜層３５なども設ける。非透過膜層３３の色と時字３４の色とが補色関係或いは補色関係に近い色であることにより時字３４が鮮明に視認される。【選択図】        図２
2005189020.tif 000002
【特許請求の範囲】
【請求項１】
ソーラセルの上面側に配設される時計用文字板において、前記時計用文字板は、透過性を有する文字板基板の上面側の時字を配設する領域部分に非透過膜層を有し、該非透過膜層の上面の一部分に非透過膜層の色と補色関係又は補色関係に近い色を持つ時字を有することを特徴とする時計用文字板。
【請求項２】
ソーラセルの上面側に配設される時計用文字板において、前記時計用文字板は、透過性を有する文字板基板の下面側で、上面側の時字を配設する領域部分の反対側に当たる下面の部分に非透過膜層を有し、該非透過膜層の上部上面側の一部分に非透過膜層の色と補色関係又は補色関係に近い色を持つ時字を有することを特徴とする時計用文字板。
【請求項３】
前記非透過膜層は黒色を呈し、前記時字は白色又は白色系金属色、又は金色を呈していることを特徴とする請求項１又は２に記載の時計用文字板。
【請求項４】
前記非透過膜層は白色又は黄色を呈し、前記時字は黒色を呈していることを特徴とする請求項１又は２に記載の時計用文字板。
【請求項５】
前記非透過膜層の上面側で時字との間に無反射膜層を有することを特徴とする請求項１乃至４のいずれか１つに記載の時計用文字板。
【発明の詳細な説明】
【技術分野】
【０００１】
本発明は、時計用文字板に関し、ソーラセル付時計用文字板などに関するものである。
【背景技術】
【０００２】
ソーラセル付時計用文字板は、受光した光を透過させてその下面側に配設したソーラセル（太陽電池）に発電機能を起こさせる。ソーラセル付時計用文字板は光の透過性が要求されることからプラスチック材が従来から多く使用されている。プラスチック材は光の透過性が得られる他に、コスト的に安くできること、塗装や印刷などの装飾が容易に施すことができること、などの利点があげられる。
【０００３】
一般的に、携帯時計に用いられるソーラセルは、図５の平面図に示すように、４等分割された４面（Ａ１、Ａ２、Ａ３、Ａ４）に設けられていて、文字板の下面に配設される。そして、文字板を透過した透過光が４面（Ａ１、Ａ２、Ａ３、Ａ４）のそれぞれに均一量入射するのが最も発電効率を高める。このため、このソーラセルの上面側に配設される文字板は、ソーラセルの４面（Ａ１、Ａ２、Ａ３、Ａ４）に対応する部分、即ち、１２−６時ラインと９−３時ラインで４等分割した４面がそれぞれ均一量の光を透過するよう設計することが必要とされている。
【０００４】
近年の科学技術の進歩に伴い、このソーラセルの光電変換効率も非常に高いものが現れてきており、透過率が１５％、或いは２０％でも十分携帯時計を駆動できるソーラセルが出てきている。また、ソーラセルを小型にすることも可能となってきており、１０ｍｍ四方の大きさでも十分に駆動できる発電量が得られるものが現れてきている。
【０００５】
しかしながら、このソーラセルは独特の濃紫色を有している。また、ソーラセルの十字の分割線が材質の違いなどから非常に目立って見える。このために、美観的にも良い感じを与えない。そこで、この濃紫色や十字線の色を和らげたり、或いは、見えないようにするために、従来から文字板に色々な工夫を施してきた。その技術の一つとして下記の特許文献１に示された技術がある。
【０００６】
【特許文献１】特開平９−２４３７５９号公報
【０００７】
図６は、上記特許文献１に示された一実施例のソーラセル付時計用表示板構造の部分拡大断面図を示したものである。これによれば、Ｂが表示板で、ソーラセル１１の上面に表示板Ｂが一体的に設けられた構成に成っている。
【０００８】
ここでの表示板Ｂは、表示板基板１２と蓄光性蛍光体層１３と表面保護被膜層１４とから構成されていて、その上に時字１５を設けたものからなっている。表示板基板１２はアクリル樹脂、ポリカーボネイト樹脂などの透明樹脂板からなっており、蓄光性蛍光体層１３は透明樹脂よりなるバインダーに光拡散剤と着色付与・光拡散剤として機能する残光型の蓄光性蛍光体とを混ぜ合わせた塗膜からなっている。ここでの光拡散剤としてはケイ酸粉末，炭酸カルシウム粉末，燐酸カルシウム粉末などが用いられ、粒径５〜１５μｍのものが蓄光性蛍光体の粉末に対して３〜１８重量％の範囲で混練されている。また、蓄光性蛍光体は長残光性のものが用いられ、バインダー３５〜６５重量部に対して１００重量部配合されている。表面保護被膜層１４は蓄光性蛍光体の劣化を防止するために形成され、透明なアクリル樹脂、ウレタン樹脂、エポキシ樹脂などの樹脂を用いて印刷などの方法で形成している。また、時字１５は印刷や電鋳などで形成したものを接着剤で取付けして設けられる。
【０００９】
上記の構成を取った効果として、光拡散剤と着色付与・光拡散剤として機能する残光型の蓄光性蛍光体とでもってソーラセルからの反射光を蓄光性蛍光体でもって吸収したり、光拡散剤でもって拡散・分散させるのでソーラセルの濃紫色を消し去り、ソーラセルの色調が視認されることがないとされている。またこれによって、観者には蓄光性蛍光体の色調（白色色調）が視認されるとされている。
【発明の開示】
【発明が解決しようとする課題】
【００１０】
しかしながら、散乱光や蓄光性蛍光体の放出光の上部に設ける時字は、その色調が非常に限定される。上記の構成の下では蓄光性蛍光体の色調（白色色調）が視認されるとされていることから黒色を呈する時字を設ければ比較的コントラストも高くなるので時字の視認性も比較的良くなるが、白色の時字や銀金属色の時字、或いは金金属色の時字などでは視認性が悪くなり、貴金属の高級感も観者に十分伝わらなくなる。
【００１１】
本発明は、上記の課題に鑑みてなされたもので、その目的とするところは時字の視認性を高めることにある。
【課題を解決するための手段】
【００１２】
上記の目的を達成する手段は、ソーラセルの上面側に配設される時計用文字板において、前記時計用文字板は、透過性を有する文字板基板の時字を配設する領域部分の面に非透過膜層を有し、該非透過膜層の上面の一部分に非透過膜層の色と補色関係又は補色関係に近い色を持つ時字を有することを特徴とするものである。 
【００１３】
或いはまた、ソーラセルの上面側に配設される時計用文字板において、前記時計用文字板は、透過性を有する文字板基板の時字を配設する領域部分の面の反対側の面部分に非透過膜層を有し、該非透過膜層と対向する反対側の面の一部分に非透過膜層の色と補色関係又は補色関係に近い色を持つ時字を有することを特徴とするものである。
【００１４】
また、非透過膜層と時字との補色関係色として、非透過膜層を黒色に仕上げ、時字を白色又は白色系金属色、又は金金属色に仕上げていることを特徴とするものである。黒色と白色は無彩色で反対色でもある。本発明においては黒色と白色を補色関係色として取扱っている。
【００１５】
或いはまた、非透過膜層と時字との補色関係色として、非透過膜層を白色又は黄色に仕上げ、時字を黒色に仕上げていることを特徴とするものである。
【００１６】
また、非透過膜層の上面側で時字との間に非透過膜層の無反射膜層を有することを特徴とするものである。
【発明の効果】
【００１７】
請求項１及び２に記載の発明によれば、文字板の時字を設ける領域に非透過膜層を設け、その上の一部分に非透過膜層の色と補色関係のある色の時字を設ければ、非透過膜層と時字との色のコントラストが非常に高くなり、時字がはっきりと視認できることになる。時計用文字板には、黒色、白色、金や銀などの貴金属色などの色が良く使われる。そこで、請求項３に記載の如く、非透過膜層を黒色に仕立て、時字を白色のもの，銀などの白色系金属色のもの、また、非透過膜層と補色関係に近い金金属色などのもので仕立てることによって、時字の視認性が格段と高まる。と同時に、貴金属感が良く現れて高級感を感じさせる。或いはまた、請求項４に記載の如く、非透過膜層を白色や黄色に仕立てて、時字を黒色のもので仕立てると、黒色の時字が引き立って良く視認されるようになる。更に、請求項５に記載の如く、非透過膜層の上面に無反射膜層を設けることによって非透過膜層の強い反射光がなくなり、艶消し状態になって時字が尚更に引き立って視認されてくる。また、文字板全体にソフト感が現れてくる。
【００１８】
時字を設ける領域は文字板全体の中でさほどの領域を取らない。しかも、時字は文字板の外周域に沿って等間隔に設けている。従って、時字を配設する領域部分に非透過膜層を設けると、非透過膜層は文字板の外周域の部分に設けられることになり、その面積も文字板全体の面積からするとさほどの面積を取らない。また、文字板を３−９時ライン、６−１２時ラインで１／４分割すると、非透過膜層は４面のそれぞれに平均的な面積をもって設けられることになる。従って、文字板の下面側に配設したソーラセルには非透過膜層がある部分は光が当たらないが、その面積も少ないことから、必要とする発電量を損なうこともない。また、ソーラセルの１／４分割した４面のそれぞれに平均的に光が当たることになるので、ソーラセルの光電変換効率を極度に悪くすることもない。小型のソーラセルなどを使用した場合などは、ソーラセルが文字板の外周域から外れて、文字板の中心よりに配設されることになるので、非透過膜層による影響度は更に低いものとなってくる。
【発明を実施するための最良の形態】
【００１９】
以下、本発明の文字板を図１〜図４を用いて説明する。図１は本発明の第１実施形態に係る時計用文字板の平面図と断面図を示していて、（ａ）図は平面図、（ｂ）図は（ａ）におけるＤ−Ｄ断面図を示している。また、図２は本発明の第２実施形態に係る時計用文字板の平面図と断面図を示していて、（ａ）図は平面図、（ｂ）図は（ａ）におけるＥ−Ｅ断面図を示している。また、図３は本発明の第３実施形態に係る時計用文字板の平面図と断面図を示していて、（ａ）図は平面図、（ｂ）図は（ａ）におけるＦ−Ｆ断面図を示している。また、図４は本発明の第４実施形態に係る時計用文字板の平面図と断面図を示していて、（ａ）図は平面図、（ｂ）図は（ａ）におけるＧ−Ｇ断面図を示している。
【００２０】
図１より、本発明の第１実施形態に係る時計用文字板２０は、透明な文字板基板２１の上面で、時字２４を配設する領域部分にリング状に非透過膜層２３を設け、この非透過膜層２３の上面の一部分、所定の場所に時字２４を設けた構成を取っている。また、上面で非透過膜層２３が設けられていない部分には光拡散膜層２２を設けた構成を取っている。尚、図示してないが、この文字板２０の下面側には１０ｍｍ四方の小型のソーラセルが配設されている。ここで、透明な文字板基板２１はその中心に指針取付用の小孔２１ａを有しており、透明なプラスチック材などから形成する。本実施の形態ではポリカーボネイト樹脂を用い、射出成形で形成している。非透過膜層２３は、文字板基板２１の上面外周領域で時字２４が設けられる領域に設けている。本実施の形態では、外周領域全域を非透過膜層の形成領域として選択し、時字２４の長さよりも少し長めの幅でもってリング状に形成している。この非透過膜層２３は、黒色顔料を配合した樹脂インクを用いて公知の印刷方法などで、殆ど光が透過しない厚みに形成する。時字２４は、本実施形態では視認性を高めるために、白色顔料を配合した樹脂インクを用い、非透過膜層２３の上面の一部分、所定の場所に、殆ど光が透過しない厚みで印刷方法で形成している。光拡散膜層２２は、ソーラセルからの反射光を拡散してソーラセルの濃紫色を消し去るために設けるもので、使用するソーラセルの必要とする透過率を考慮する中で光拡散膜層２２の仕様を決定している。本実施の形態では、光拡散層２２の形成領域内に殆ど納まる小型のソーラセルを用いていることもあって、前述の背景技術で述べた拡散剤などを用いて同じ仕様で印刷形成している。そして、ソーラセルの濃紫色が消し去られて視認されない状態になっている。
【００２１】
本実施形態においては、黒色の色調で形成した非透過膜層２３と白色の色調で形成した時字２４とは無彩色ではあるが反対色であるので、補色関係のものと見なして選択している。黒と白とは非常にコントラストが高い。このため、白色の時字が鮮明に視認される。黒色の非透過膜層２３、並びに、時字２４は光の透過率が殆ど０になるようにするために３０〜４０μｍの厚みに形成している。非透過膜層２３は、ソーラセルの色との混色を避けるために、透過率が殆ど０になる厚みに形成する。また、時字２４を印刷などで形成する場合は、非透過膜層２３との混色を避けるために時字２４の透過率を殆ど０になる厚みに形成する。透過率が大きいとソーラセルの色、非透過膜層２３の色、時字２４の色などの混ざり合いが発生し、非透過膜層２３と時字２４とに完全な補色関係が得られない。大きくても１０％以内の透過率であれば補色関係が顕著に現れるのでコントラストを非常に高くなる。また、補色関係に近い色でもコントラストを高めて視認性を良くする。例えば、時字を白色系の銀金属色や黄色系の金金属色のものに仕立ててもその色調が鮮明に視認されるようになる。
【００２２】
次に、図２に示すものは本発明の第２実施形態に係る時計用文字板を示している。この時計用文字板３０は、透過性を有する文字板基板３１の上面、外周領域の部分に非透過膜層３３と、その上に無反射膜層３５とを積層して設け、この無反射膜層３５の上の所定の位置に時字３４を設けた構成を取っている。また、図示はしていないが、文字板３０の下面側には、文字板３０と同等大のソーラセルが配設されている。
【００２３】
ここでの文字板基板３１は、透明なポリカーボネイト樹脂に粉末粒径３μｍ以下の酸化シリコン粉末を１３〜１８重量％と、白色顔料を０．４重量％以下とを配合してペレット化し、射出成形で形成したものからなっており、透過率が７０％近くある。非透過膜層３３は前述の第１実施形と同じ仕様で黒色色調に形成してあり、光透過率は殆ど０になっている。無反射膜層３５は、非透過膜層３３の反射光を散乱させて艶消し状態にするために設けている。透明なウレタン樹脂，アクリル樹脂，エポキシ樹脂などの樹脂に粉末粒径５〜１０μｍの酸化シリコン粉末を１３〜１８重量％配合したインクを用いて１０〜２０μｍの厚みに印刷形成している。酸化シリコン粉末はガラス質であるため光の透過・散乱が良く発生し、しかも、配合量が１３〜１８重量％と多いこともあって、光を良く散乱させる。また、膜厚も比較的薄いことから、下の非透過膜層３３の黒色色調が艶消しされた状態で視認されるようになる。時字３４は、電鋳成形または板材をプレス成形（表面がダイヤモンド工具で鏡面仕上げが施されている）した表面に金メッキを施した金金属光沢のある材料からできたものを接着にて取付けている。
【００２４】
上記構成の文字板３０における時字３４は、無反射膜層３５によって黒色の非透過膜層３３の強い反射光がなくなり、艶消しした黒色の上に金金属光沢のある時字が視認される。このように構成した時字は、双方が補色に近い色調をなしていること、金金属光沢のある時字の周りが艶消しされて無光沢になっていること、などの作用で金金属光沢のある時字が非常に光沢感を帯びて鮮明に視認されてくる。そして、貴金属感のある高級感を感じさせるようになる。
【００２５】
本実施形態における非透過膜層３３の面積は、文字板基板３１の外周域一周に渡って設けていることから、文字板３０の全体の面積に対して約４０〜５０％の面積になっている。このため、文字板３０の採光面積は５０〜６０％位しかない。しかしながら、透過率７０％近くの文字板基板３１を用いれば透過率３５〜４０％近くのものが得られる。３５％以下の透過率で十分な発電機能を持つソーラセルを用いることによって満足する発電量を得ることができる。
【００２６】
本実施形態の文字板基板３１は、透明なポリカーボネイト樹脂に粉末粒径３μｍ以下の酸化シリコン粉末の拡散剤を１３〜１８重量％と、白色顔料を０．４重量％以下とを配合してペレット化し、射出成形で形成している。拡散剤の粉末粒子の粒径を３μｍ以下と小さくし、配合量を１３〜１８重量％と多くすることによって光の散乱作用が著しくなり、白色化してきてソーラセルの色調が消し去られ、見えなくなる。更に、白色顔料を僅かに混ぜることによって更に白色化が増し、文字板としての白さが目立つようになってくる。しかも、７０％近い透過率が得られる。更に、文字板基板３１の白さ、非透過膜層３３と無反射膜層３５から生まれる無光沢の黒さ、時字の光沢有る金金属色、それぞれが高いコントラストを生んで文字板全体が鮮明に見えるようになつてくる。また、文字板全体から強い反射光がなくなり、文字板に和らかさが感じられるようになる。
【００２７】
次に、図３は本発明の第３実施形態に係る時計用文字板を示したものである。この時計用文字板４０は、前述の第１実施形態の時計用文字板２０と異なるところは、非透過膜層を文字板基板の下面側に設けたところのみが異なる。即ち、透明な文字板基板４１の下面で、上面側の時字４４を配設する領域の反対側の面にリング状に非透過膜層４３を設け、その非透過膜層４３の上部、文字板基板４１の上面の所定の位置に時字４４を設けている。また、非透過膜層４３が設けられていない部分の文字板基板４１の上面側に光拡散膜層４２を設けた構成になっている。本実施の形態は小型のソーラセルを用いた構成になっており、光拡散膜層４２は前述の第１実施形態の光拡散膜層と全く同じ仕様で形成している。また、非透過膜層４３も、前述の第１実施形態の非透過膜層と全く同じ仕様で、黒色に形成している。時字４４は表面にロジウムメッキを施した白色系色調の金属時字を貼付けて形成している。尚、時字４４は、上記第２実施形態と同様の手段で作られている。
【００２８】
上記構成の文字板４０も前述の第１実施形態と同じような効果をもたらす。即ち、ロジウムの白色系の色調と非透過膜層の黒色とはお互いに補色に近い関係にあることから時字が鮮明に視認されてくる。
【００２９】
次に、本発明の第４実施形態に係る時計用文字板を図４を用いて説明する。図４より、時計用文字板５０は、文字板基板５１と時字５４の形成領域部分にのみ図中円形に設けた非透過膜層５３とその非透過膜層５３の上に設けた時字５４とで構成している。そして、図示はしていないが、この文字板５０の下面側に文字板５０と同等大のソーラセルが配設されている。ここでの文字板基板５１は、アクリル樹脂やポリカーボネイト樹脂などの透明樹脂に光拡散剤と顔料を混ぜ合わせてペレット化して射出成形方法で形成したものである。従って、僅かの着色が施され、光の透過や拡散・反射作用が働くようになっている。光拡散剤としてはケイ酸粉末、炭酸カルシウム粉末、燐酸カルシウム粉末などを用い、粒径５〜１５μｍ範囲のものを０．５〜１０重量％配合している。また、顔料は着色付与に用いるもので、０．５〜１０重量％配合している。非透過膜層５３はそれぞれの時字５４の周りだけ小面積で設けており、本実施形態では、白色顔料の入ったインクで印刷形成し、殆ど光透過率が０になる厚みに形成している。また、時字５４は、非透過膜層５３の上面、所定の位置に黒色顔料の入ったインクで印刷形成し、光透過率が殆ど０になる厚みに形成している。
【００３０】
このような構成を取る文字板５０の黒色の時字５４は、その下面に白色の非透過膜層５３があることにより黒と白との補色関係になり、非常に鮮明に視認することができる。また、文字板基板５１に拡散剤や顔料などが分散していることにより、ソーラセルの発電に十分な透過光量が得られると共に、ソーラセルの色調が消し去られ、他の着色色調を持った文字板が視認されてくる。
【００３１】
尚、上記の構成の中に、前述の第２実施形態で述べた無反射膜層を時字５４と非透過膜層５３との間に設けることもできる。白色の非透過膜層５３からの強い反射光がなくなり、尚一層、黒の時字が目立って視認されるようになる。
【００３２】
また、本実施形態では時字５４と非透過膜層５３は共に印刷で形成しているが、特に印刷に限定するものではない。非透過膜層５３をアルミの薄板や箔などで形成し、その上に印刷などで黒の時字５４を形成しても良い。或いは、黒色メッキを施した金属の時字を貼付けても良い。何れも双方が補色関係或いは補色に近い関係の色調を呈していれば時字は鮮明に見えてくるようになる。
【００３３】
以上、本発明を詳細に説明したように、ソーラセル付の時計用文字板に、非透過膜層を設け、その上の所定の位置に時字を設けるような構成を取り、そして、非透過膜層と時字の色調を補色関係或いは補色関係に近い色調でもってそれぞれを仕上げるようにすると時字の視認性が従来に比べて飛躍的に向上する。本実施の形態では、非透過膜層と時字とを白色系と黒色系のもので説明したが、特にそれらの色に限定するものではない。赤系と緑系のもの、青系と黄色系のものなども補色関係或いは補色関係に近いものなのでこれらの色を利用すると時字が鮮明に視認されてくるようになる。また、これらの色を用いて非透過膜層を形成し、その上に前述した無反射膜層などを設けると尚一層時字が目立って見えるようになる。と同時に、文字板全体の色調も和わらいで見えるようになる。
【図面の簡単な説明】
【００３４】
【図１】本発明の第１実施形態に係る時計用文字板の平面図と断面図で、（ａ）図は平面図、（ｂ）図は（ａ）図におけるＤ−Ｄ断面図である。
【図２】本発明の第２実施形態に係る時計用文字板の平面図と断面図で、（ａ）図は平面図、（ｂ）図は（ａ）図におけるＥ−Ｅ断面図である。
【図３】本発明の第３実施形態に係る時計用文字板の平面図と断面図で、（ａ）図は平面図、（ｂ）図は（ａ）図におけるＦ−Ｆ断面図である。
【図４】本発明の第４実施形態に係る時計用文字板の平面図と断面図で、（ａ）図は平面図、（ｂ）図は（ａ）図におけるＧ−Ｇ断面図である。
【図５】ソーラセルの平面図である。
【図６】特許文献１に示されたソーラセル付時計用表示板構造の部分拡大断面図である。
【符号の説明】
【００３５】
２０、３０、４０、５０    時計用文字板
２１、３１、４１、５１    文字板基板
２２、４２      光拡散膜層
２３、３３、４３、５３    非透過膜層
２４、３４、４４、５４    時字
３５            無反射膜層
【図１】
2005189020.tif 000003
【図２】
2005189020.tif 000004
【図３】
2005189020.tif 000005
【図４】
2005189020.tif 000006
【図５】
2005189020.tif 000007
【図６】
2005189020.tif 000008